(57)【要約】【課題】レトロフォーカス以外のタイプの新規な結像レンズの実現を課題とする。【解決手段】結像レンズは、物体側から像側向かって順に、正の屈折力を有する前側レンズ群ＬＯ、開口絞りＳ、正の屈折力を有する後側レンズ群ＬＩ、を配して構成される結像レンズであって、光軸方向に隣接して配置される２つのレンズの、物体側レンズの像側面と像側レンズの物体側面とにより挟まれる空気間隙として定義される空気レンズを、最も物体側のレンズと最も像側のレンズとの間に３つのみ有し、該３つの空気レンズのうち、最も物体側に位置する物体側空気レンズＬＡＯと、最も像側に位置する像側空気レンズＬＩＯとが共に両凸形状であり、中間に位置する中間空気レンズＬＡＭが両凹形状である。【選択図】図１
2019095607.tif 000002
【特許請求の範囲】
【請求項１】
物体側から像側向かって順に、正の屈折力を有する前側レンズ群、開口絞り、正の屈折力を有する後側レンズ群、を配して構成される結像レンズであって、
光軸方向に隣接して配置される２つのレンズの、物体側レンズの像側面と像側レンズの物体側面とにより挟まれる空気間隙として定義される空気レンズを、最も物体側のレンズと最も像側のレンズとの間に３つのみ有し、該３つの空気レンズのうち、最も物体側に位置する物体側空気レンズと、最も像側に位置する像側空気レンズとが共に両凸形状であり、中間に位置する中間空気レンズが両凹形状である結像レンズ。
【請求項２】
請求項１記載の結像レンズであって、  
前記物体側空気レンズが前記前側レンズ群に含まれ、前記像側空気レンズが前記後側レンズ群に含まれ、前記中間空気レンズは前記前側レンズ群と前記後側レンズ群との間隔部分として形成され、該中間空気レンズの内部に前記開口絞りが配置されている結像レンズ。
【請求項３】
請求項１または２記載の結像レンズであって、  
前記前側レンズ群が３枚もしくは４枚のレンズで構成され、
前記後側レンズ群が３枚もしくは４枚のレンズで構成されている結像レンズ。
【請求項４】
請求項２または請求項３記載の結像レンズであって、  
前記前側レンズ群における最も物体側のレンズが負の屈折力を有する結像レンズ。
【請求項５】
請求項４記載の結像レンズであって、
前記前側レンズ群は最も物体側に、像側に凹面を向けた負レンズと、その像側に隣接して物体側に凹面を向けた負レンズを有し、これら２枚の負レンズにより、前記両凸形状の物体側空気レンズが形成され、  
前記後側レンズ群は最も像側に、物体側に凹面を向けたメニスカス形状のレンズと、その物体側に隣接して像側に凹面を向けた負レンズを有し、これら２つのレンズにより、前記両凸形状の像側空気レンズが形成され、  
前記物体側に凹面を向けたメニスカス形状のレンズは、単レンズもしくは物体側に凹面を向けたメニスカス形状の接合レンズであり、
前記前側レンズ群の最も物体側に配設された像側に凹面を向けた前記負レンズの焦点距離：fFF、前記後側レンズ群の最も像側に配設された物体側に凹面を向けた前記メニスカス形状のレンズの焦点距離：fRRが、条件：
[10]  -0.4 < fFF/fRR < 0.6
を満足する結像レンズ。
【請求項６】
請求項１ないし５の何れか１項に記載の結像レンズであって、  
前記物体側空気レンズの、物体側面の曲率半径：r1o、像側面の曲率半径：r2o、前記像側空気レンズの、物体側面の曲率半径：r1i、像側面の曲率半径：r2iが、条件：
[1]  -0.6 < (r1o+r2o)/(r1o-r2o) < 0.2    
[2]  -0.6 < (r1i+r2i)/(r1i-r2i) < 0.2    
を満足する結像レンズ。
【請求項７】
請求項１ないし６の何れか１項に記載の結像レンズであって、
前記中間空気レンズの、物体側面の曲率半径：r1m、像側面の曲率半径：r2mが、条件：
[3]  0.0 < (r1m+r2m)/(r1m-r2m) < 1.0  
を満足する結像レンズ。
【請求項８】
請求項１ないし７の何れか１項に記載の結像レンズであって、
前記前側レンズ群の焦点距離：fF、前記後側レンズ群の焦点距離：fRが、条件：
[4]  0.8 < fF/fR < 3.0
を満足する結像レンズ。
【請求項９】
請求項１ないし８の何れか１項に記載の結像レンズであって、
最大像高：Y’、無限遠物体に合焦した状態における全系の焦点距離：f、前記最大像高に達する主光線の像面への入射角：θPmaxが、条件：  
[5]  0.7 < Y’/f < 0.95    
[6]  0.6 < tan (θPmax ) < 0.95  
を満足する結像レンズ。
【請求項１０】
請求項１ないし９の何れか１項に記載の結像レンズであって、
無限遠物体に合焦した状態における最も物体側の面から像面までの距離：L、無限遠物体に合焦した状態における全系の焦点距離：fが、条件：
[7]  1.3 < L/f < 1.9  
を満足する結像レンズ。
【請求項１１】
請求項１ないし１０の何れか１項に記載の結像レンズであって、
最も物体側の面から最も像側の面までの距離：DT、無限遠物体に合焦した状態における全系の焦点距離：fが、条件：
[8]  0.6 < DT/f < 1.1  
を満足する結像レンズ。
【請求項１２】
請求項１ないし１１の何れか１項に記載の結像レンズであって、
前記前側レンズ群の最も物体側のレンズは負の屈折力を有し、その焦点距離：f1、無限遠物体に合焦した状態における全系の焦点距離：fが、条件：  
[9]  -4.0 < f1/f < -2.2  
を満足する結像レンズ。
【請求項１３】
請求項１ないし１２の何れか１項に記載の結像レンズを撮影用光学系として有するカメラ。
【請求項１４】
請求項１ないし１２の何れか１項に記載の結像レンズを、カメラ機能部の撮影用光学系として有する携帯情報端末装置。
【発明の詳細な説明】
【技術分野】
【０００１】
この発明は、結像レンズおよびカメラおよび携帯情報端末装置に関する。
【背景技術】
【０００２】
結像レンズによる撮影画像を撮像素子上に結像させて撮影を行うデジタルカメラが広く普及している。  
デジタルカメラの１つのジャンルとして、単焦点レンズを搭載した高画質のコンパクトカメラに対する要望が強い。  
結像レンズは、従来から種々のタイプのものが知られ、広画角を実現し易いタイプとして「レトロフォーカスタイプ」が広く知られているが、レトロフォーカス以外のタイプとして特許文献１〜１１等に開示されたものが知られている。
【発明の概要】
【発明が解決しようとする課題】
【０００３】
この発明は、レトロフォーカス以外のタイプの新規な結像レンズの実現を課題とする。
【課題を解決するための手段】
【０００４】
この発明の結像レンズは、物体側から像側向かって順に、正の屈折力を有する前側レンズ群、開口絞り、正の屈折力を有する後側レンズ群、を配して構成される結像レンズであって、光軸方向に隣接して配置される２つのレンズの、物体側レンズの像側面と像側レンズの物体側面とにより挟まれる空気間隙として定義される空気レンズを、最も物体側のレンズと最も像側のレンズとの間に３つのみ有し、該３つの空気レンズのうち、最も物体側に位置する物体側空気レンズと、最も像側に位置する像側空気レンズとが共に両凸形状であり、中間に位置する中間空気レンズが両凹形状である。
【発明の効果】
【０００５】
この発明によれば、レトロフォーカス以外のタイプの新規な結像レンズを実現できる。
【図面の簡単な説明】
【０００６】
【図１】実施例１の結像レンズの構成を示す断面図である。
【図２】実施例２の結像レンズの構成を示す断面図である。
【図３】実施例３の結像レンズの構成を示す断面図である。
【図４】実施例４の結像レンズの構成を示す断面図である。
【図５】実施例５の結像レンズの構成を示す断面図である。
【図６】実施例６の結像レンズの構成を示す断面図である。
【図７】実施例７の結像レンズの構成を示す断面図である。
【図８】実施例８の結像レンズの構成を示す断面図である。
【図９】実施例１の結像レンズの収差曲線図である。
【図１０】実施例２の結像レンズの収差曲線図である。
【図１１】実施例３の結像レンズの収差曲線図である。
【図１２】実施例４の結像レンズの収差曲線図である。
【図１３】実施例５の結像レンズの収差曲線図である。
【図１４】実施例６の結像レンズの収差曲線図である。
【図１５】実施例７の結像レンズの収差曲線図である。
【図１６】実施例８の結像レンズの収差曲線図である。
【図１７】携帯情報端末装置の実施の１形態を説明するための図である。
【図１８】図１７の携帯情報端末装置のシステム図である。
【発明を実施するための形態】
【０００７】
この発明の結像レンズは、上記の如く、物体側から像側向かって順に、前側レンズ群、開口絞り、後側レンズ群を配してなる２レンズ群構成である。  
前側レンズ群、後側レンズ群ともに「正の屈折力」を有する。  
結像レンズは、最も物体側のレンズと最も像側のレンズ、即ち、前側レンズ群の最も物体側のレンズと、像側レンズ群の最も像側のレンズとの間に空気レンズを３つ有する。  
空気レンズは、周知の如く「光軸方向に隣接して配置される２つのレンズの、物体側レンズの像側面と像側レンズの物体側面とにより挟まれる空気間隙」として定義される。  
従って、空気レンズを形成する２つのレンズのうち「物体側のレンズの像側面」が該空気レンズの物体側面であり、空気レンズを形成する２つのレンズのうち像側のレンズの物体側面が該空気レンズの像側面である。
【０００８】
この発明の結像レンズが有する空気レンズは「３つのみ」である。即ち、最も物体側のレンズと最も像側のレンズとの間に形成される空気間隙は３か所のみである。  
３つの空気レンズを物体側から像側に向かって順次、「物体側空気レンズ」、「中間空気レンズ」、「像側空気レンズ」と称する。  
「物体側空気レンズ」は最も物体側に形成される空気レンズであり、「像側空気レンズ」は最も像側に形成される空気レンズであるが、これらは共に「両凸形状」であり「負の屈折力」有する。  
「中間空気レンズ」は、物体側空気レンズと像側空気レンズとに挟まれるように形成される空気レンズであって「両凹形状」であり「正の屈折力」を有する。
【０００９】
このような構成を有するこの発明の結像レンズは、以下に示すように、半画角が３５〜４３度程度と広角で、Ｆナンバが２．８〜３．２程度と大口径でありながら、レンズ全長・レンズ総厚・レンズ径の全てにおいて小型で、各種収差を十分に低減して２４００万画素以上の撮像素子に対応した解像力を実現することが可能である。  
この発明の結像レンズは、開口絞りの物体側に配置された前側レンズ群、開口絞りの像側に配置された後側レンズ群ともに「正の屈折力」を有しており、所謂レトロフォーカス型とは異なる構成であるが、物体側から像側に至る光学系における屈折力の配分が物体側から像側へ向けて「負・正・負」となる構成をとることにより、コマ収差や歪曲収差、倍率色収差の補正を容易にしている。  
このような屈折力の配分では「レンズ系の中間に正の屈折力，その両側に負の屈折力を配置した、絞りに対して略対称型の屈折力配置」が好ましく、このような屈折力配置を容易に実現する構成として「物体側空気レンズが前側レンズ群に含まれ、像側空気レンズが後側レンズ群に含まれ、中間空気レンズは、前側レンズ群と後側レンズ群との間隔部分として形成され、開口絞りが中間空気レンズの内部に配置されている構成」が好ましい。  
このような構成で、結像レンズの両端で「空気レンズによる負の屈折力」をバランスさせつつ、中間の中間空気レンズによる正の屈折力も絞り前後でバランスさせることにより、略対称型の屈折力配置がより確実なものとなり、コマ収差や歪曲収差、倍率色収差を「より良好に補正」することが容易になる。
【００１０】
即ち、この構成では、開口絞りを挟んだ前後のレンズ群と、レンズ系内の空気レンズとの配置関係を最適化することができ、歪曲収差・コマ収差・倍率色収差の良好な補正が容易であり、画像処理に頼らなくても歪みが目立たず、周辺まで高い解像力を有し、色ずれや色滲みの殆どない高画質の像を結像できる。
【００１１】
前側レンズ群に含まれる物体側空気レンズ、後側レンズ群に含まれる像側空気レンズを共に両凸形状として「負の屈折力」を持たせることにより、上記屈折力配分を実現できる。  
さらに、これら物体側空気レンズ、像側空気レンズを両凸形状とすることにより、各種収差をより高いレベルで補正することが可能である。  
物体側空気レンズの物体側面を凸面とすることにより「球面収差の適切なコントロールと共に、主として非点収差の補正」が容易となり、像側空気レンズの像側面を凸面とすることにより「射出瞳距離のコントロールと、周辺像高における主光線の像面への入射角を適切な状態に設定」することが可能となり、主としてコマ収差・歪曲収差の補正が容易になる。  
さらに、物体側空気レンズの像側面を凸面とすることにより「前側レンズ群の最も物体側のレンズの小径化」が可能となり「下光線のコマ収差補正」が容易になる。像側空気レンズの物体側面を凸面とすることにより「後側レンズ群の最も像側のレンズの小径化」が可能となり「上光線のコマ収差補正」が容易になる。  
即ち、物体側空気レンズおよび像側空気レンズを両凸形状とすることは「小型化と高性能化の両立」の実現に有利である。
【００１２】
正の屈折力を持つ中間空気レンズの形状を両凹形状とすることにより、各種収差をより高いレベルで補正することが可能である。  
即ち、中間空気レンズについても「略対称型の屈折力配置」とすることにより、コマ収差を非常に高いレベルで補正することが容易となっている。  
また、この発明の結像レンズでは、空気レンズが物体側空気レンズ、中間空気レンズ、像側空気レンズの３枚のみであり、レンズ系内に形成される空気レンズの数を抑制することにより「レンズ構成の複雑化を防止」し、小型化や、組み立て工数の低減、管理項目の低減が可能であり、結果的に品質向上へと繋げることができる。また「空気接触面が減少することでレンズ面による不要な反射光が抑制」されゴースト・フレアを有効に低減できる。
【００１３】
前側レンズ群、後側レンズ群を構成するレンズ枚数は「前側レンズ群が３枚もしくは４枚のレンズ」で構成され、「後側レンズ群が３枚もしくは４枚のレンズ」で構成されることが好ましい。  
物体側空気レンズと像側空気レンズは共に両凸形状であるので、比較的強い負の屈折力を有する。このため「結像レンズが系全体として正の焦点距離」を有するためには開口絞りの前後に強い正の屈折力を配置する必要がある。このような屈折力配置を無理なく成立させ、色収差や高次収差を含む良好な収差補正を実現するためには、前側レンズ群・後側レンズ群にそれぞれ３枚以上のレンズが必要である。  
一方、前側レンズ群・後側レンズ群を構成するレンズ枚数が５枚以上になると、結像レンズの小型化が阻害され易い。
【００１４】
前側レンズ群の最も物体側のレンズは負の屈折力を有することが好ましい。このように最も物体側のレンズを負レンズとすることにより、上述した「略対称型の屈折力配置」に「若干レトロフォーカス的な傾向」を付与でき、射出瞳距離を適切にコントロールしながら十分な広角化の達成が容易になる。  
像側レンズ群の最も像側のレンズは、必ずしも負の屈折力を有する必要はないが上述の「略対称型の屈折力配置」を実現する上で比較的弱い屈折力とするのが良い。
【００１５】
この発明の結像レンズは、以下に挙げる条件［１］〜［８］の任意の１以上を満足することが好ましい。  
[1]  -0.6 < (r1o+r2o)/(r1o-r2o) < 0.2    
[2]  -0.6 < (r1i+r2i)/(r1i-r2i) < 0.2    
[3]  0.0 < (r1m+r2m)/(r1m-r2m) < 1.0  
[4]  0.8 < fF/fR < 3.0  
[5]  0.7 < Y’/f < 0.95    
[6]  0.6 < tan (θPmax ) < 0.95  
[7]  1.3 < L/f < 1.9  
[8]  0.6 < DT/f < 1.1                                      。
【００１６】
条件［１］〜［８］のパラメータに含まれる各記号の意味は、以下の通りである。  
条件［１］における「r1o」及び「r2o」はそれぞれ、物体側空気レンズの物体側面及び像側面の曲率半径であり、条件［２］における「r1i」及び「r2i」はそれぞれ、像側空気レンズの物体側面及び像側面の曲率半径である。  
条件［３］における「r1m」及び「r2m」はそれぞれ、中間空気レンズの物体側面及び像側面の曲率半径である。  
条件［４］における「fF」は前側レンズ群の焦点距離F、「fR」は後側レンズ群の焦点距離である。  
条件［５］における「Y’」は最大像高、条件［５］、［７］、［８］における「f」は、無限遠物体に合焦した状態における全系の焦点距離であり、条件［６］における「θPmax」は、最大像高：Y’に達する主光線の像面への入射角である。
【００１７】
条件［７］における「L」は、無限遠物体に合焦した状態における最も物体側の面から像面までの距離であり、条件［８］における「DT」は、最も物体側の面から最も像側の面までの距離である。
【００１８】
条件［１］は、物体側空気レンズの「物体側面と像側面の屈折力のバランス」を規定するものである。  
物体側空気レンズは「両凸形状」であるから「r1o＞０、r2o＜０」である。  
従って、パラメータ：(r1o+r2o)/(r1o-r2o)の分母は正であり、該パラメータが大きく（小さく）なることは、物体側の面の曲率が、像側の面の曲率に対して相対的に小さく（大きく）なることを意味する。  
条件［１］のパラメータが下限の−０．６以下になると、物体側空気レンズの物体側面の負の屈折力が相対的に強くなり、球面収差がアンダー方向に大きく発生し易く、像面湾曲が中間像高でマイナス側に大きく変位し易い。  
条件［１］のパラメータが下限の０．２以上になると、物体側空気レンズの像側面の負の屈折力が相対的に強くなり、球面収差がオーバー方向に大きく発生し易く、また、像面湾曲が周辺部でプラス側に大きく倒れ易く、コマ収差が残存し易い。  
条件［２］は、像側空気レンズの「物体側面と像側面の屈折力のバランス」を規定するものである。  
像側空気レンズは「両凸形状」であるから「r1i＞０、r2i＜０」である。  
従って、パラメータ：(r1i+r2i)/(r1i-r2i)の分母は正であり、該パラメータが大きく（小さく）なることは、物体側の面の曲率が、像側の面の曲率に対して相対的に小さく（大きく）なることを意味する。  
条件［２］のパラメータが下限の−０．６以下になると、像側空気レンズの物体側面の負の屈折力が相対的に強くなり、球面収差がオーバー方向に大きく発生し易く、内向性のコマ収差が残存し易くなる。  
条件［２］のパラメータが上限の０．２以上になると、像側空気レンズの像側面の負の屈折力が相対的に強くなり、非点収差が発生し易く、瞳周辺部のコマ収差が乱れ易くなる。
【００１９】
条件［２］が満足される範囲では、射出瞳位置の適正化が容易で、「周辺像高における主光線の像面への入射角」を適切なものとすることが容易である。
【００２０】
条件［１］と条件［２］は、単独で満足されるようにしてもよいが、これらの条件は同時に満足されることが好ましい。
【００２１】
条件［３］は、中間空気レンズの「物体側面と像側面の屈折力のバランス」を規定するものである。  
中間空気レンズは「両凹形状」であって正の屈折力を有し、「r1m＜０、r2m＞０」であり条件［３］のパラメータ：(r1m+r2m)/(r1m-r2m)の分母は負である。  
条件［３］のパラメータが上限の１．０以上になると、中間空気レンズの像側面の正の屈折力が相対的に過剰に弱くなり易く、下限の０以下になると物体側面の正の屈折力が過剰に弱くなり易い。  
条件［３］が満足されるように、中間空気レンズの形状を調整することで「コマ収差のより良好な補正」が容易になる。  
条件［３］は、単独で満足されるようにしてもよいが、条件［１］、条件［２］の一方もしくは双方と共に満足されることが好ましい。
【００２２】
条件［４］は、開口絞りの前後の正の屈折力のバランスの良好な範囲を規定する条件である。  
条件［４］のパラメータ：fF/fRが、下限の０．８以下になると、開口絞りよりも物体側の前側レンズ群の屈折力が、後側レンズ群の屈折力に対し相対的に強くなり、歪曲収差が周辺部でプラスに曲がり易く、内向性のコマ収差が発生し易く、短波長の倍率色収差が画面内側へ向かって発生し易くなる。  
条件［４］のパラメータ：fF/fRが、上限の３．０以上になると、開口絞りよりも像側にある後側レンズ群の屈折力が相対的に強くなり、マイナスの歪曲収差が発生し易く、外向性のコマ収差が発生し易く、短波長の倍率色収差が画面外側へ向かって発生し易くなる。
【００２３】
条件［５］は、結像レンズの正の屈折力と最大像高との好適な範囲を規定するものであり、条件［６］は、最大像高に達する主光線の像面への入射角：θPmaxの好適な範囲を規定するものである。  
結像レンズを広角かつ小型、高性能に実現しようとする場合、条件［５］は、この目的に沿う効果を最もよく発揮できる画角を規制するものである。また、条件［６］は、この目的に沿う効果を最もよく発揮できる上記入射角を規定するものである。  
これらの条件［５］、［６］も同時に満足されることが好ましい。  
条件［５］、［６］を同時に満足させることにより、３５度以上の半画角を有する広画角で、高性能且つ小型の結像レンズを実現できる。
【００２４】
条件［７］は、広画角、小型、高性能といった効果が最も良く発揮されるレンズ全長（レンズ系の最も物体側の面から像面までの距離）を規定するものである。  
条件［８］は、上記効果が最も良く発揮されるレンズ全厚（レンズ系の最も物体側の面から最も像側の面までの距離）を規定するものである。  
上記の条件［６］について若干付言する。  
前述した如く、広画角を実現し易いタイプとして「レトロフォーカスタイプ」が広く知られ、デジタルカメラ用の結像レンズとしても多用されている。デジタルカメラ用の結像レンズとしてレトロフォーカスタイプが用いられる理由の一つは、画素ごとに色フィルタやマイクロレンズを有する撮像素子（エリアセンサ）の特性に従い、射出瞳位置を像面から遠ざけ、周辺光束がエリアセンサの受光面に対し「垂直に近い角度で入射」させることが求められるためである。
【００２５】
よく知られたように「レトロフォーカスタイプの結像レンズ」はバックフォーカスが長くなり易く、カメラや情報形態端末装置に使用する場合、これらの装置の小型化が難しい。  
一方、近来、対角長が２０〜４５ｍｍ程度の比較的大きな撮像素子では、オンチップマイクロレンズの改良や最適化、画像処理の進歩等により、周辺光束が受光面に対し「ある程度斜めに入射」しても大きな問題にならない状況が実現している。  
具体的には、最大像高において主光線と光軸とのなす角が３５〜４０度程度であっても十分に許容できるようなシステムを構築可能である。  
条件［６］のパラメータ：ｔａｎ（θPmax）に対する上限の０．７０は３７度、下限の０．５０は２７度に相当するが、このような「大きい入射角」でも上記の如き撮像素子を用いて十分な撮像性能を実現できる。また、サイズの大きい撮像素子を用いることにより、大きな画像数の撮像が可能である。  
前述したように、前側レンズ群の最も物体側のレンズは「負の屈折力」を有することが好ましい。前側レンズ群の最も物体側のレンズを負レンズとすることにより、上述した「略対称型の屈折力配置」に「若干レトロフォーカス的な傾向」を付与でき、射出瞳距離を適切にコントロールしながら十分な広角化を達成することが容易になる。
【００２６】
このように、前側レンズ群の最も物体側のレンズを負レンズとするとき、その焦点距離：f1は、以下の条件［９］を満足することが好ましい。  
[9]  -4.0 < f1/f < -2.2  
条件[９]のパラメータ：f1/fが下限の−４．０以下となるレベルで、前側レンズ群の屈折力が弱いと、像面湾曲が補正不足となり易く、像面の平坦性維持が難しくなり易い。逆に上限の−２．２以上となるレベルで前側レンズ群の屈折力が強いと、非点収差・コマ収差が残存しやすくなり、周辺部まで高い結像性能を維持するのが難しくなり易い。
【００２７】
なお、この場合の前側レンズ群の最も物体側の負レンズは「単レンズ」であっても「接合レンズ」であってもよい。
【００２８】
前側レンズ群の最も物体側に負レンズ（単レンズでも接合レンズでもよい。）を配置する場合、この負レンズを「像側に凹面を向けた負レンズ」とし、その像側に隣接して「物体側に凹面を向けた負レンズ」を配し、これらの２レンズの間に「両凸形状の空気レンズ（物体側空気レンズ）」を形成するのが好ましい。  
この場合、後側レンズ群には最も像側に「物体側に凹面を向けたメニスカス形状の単レンズもしくは物体側に凹面を向けた全体としてメニスカス形状の接合レンズ」を配し、その物体側に隣接して「像側に凹面を向けた負レンズ」を配置し、これら２つのレンズの間に「両凸形状の空気レンズ（像側空気レンズ）を形成するのが好ましい。  
この構成の場合、上記最も物体側の「像側に凹面を向けた負レンズ」の焦点距離：fFF、最も像側の「物体側に凹面を向けたメニスカス形状の単レンズもしくは物体側に凹面を向けた全体としてメニスカス形状の接合レンズ」の焦点距離：fRRが、以下の条件：
[10]  -0.4 < fFF/fRR < 0.6    
を満足するようにするのがよい。
【００２９】
条件［１０］のパラメータが下限の−０.４以下になると、結像レンズの「レトロフォーカス的な傾向」が強まり、主点が像側へ移動してレンズ全長の短縮が難しくなり易い。  また、射出瞳が物体側へ移動して最も像側のレンズが大径化し易くなる。  
逆に、条件［１０］のパラメータが上限の０．６５以上になると「テレフォト的な傾向」が強まり主点が物体側へ移動してレンズ全長が短くなり、各種収差補正の自由度を制限したり、製造誤差感度が高まったりし易い。また、射出瞳が像側へ移動して周辺像高における主光線の像面への入射角（上記の「θPmax」）が大きくなりがちになる。
【００３０】
条件［１０］のパラメータ：fFF/fRRは、より好ましくは、条件［１０］よりも若干狭い以下の条件：
[10A]  -0.2 < fFF/fRR < 0.5  
を満足するのがよい。  
より良好な収差補正のためには、最も物体側に配置されるレンズと最も像側に配置されるレンズの双方に「非球面」を設けることが好ましい。非点収差やコマ収差、歪曲収差の補正に大きな効果がある。  
なお、この発明の結像レンズは「単焦点レンズ」として構成されることが望ましい。この場合、フォーカシングは結像レンズ全体を移動させて行うことができる。  
この発明の結像レンズは、カメラ、特にデジタルカメラの撮影用レンズとして用いることができ、また携帯情報端末装置のカメラ機能部の撮影用レンズとして用いることができる。
【００３１】
結像レンズの具体的な実施例を挙げる前に、図１７、図１８を参照して携帯情報端末装置の実施の１形態を説明する。  
図１７は携帯情報端末装置の外観を説明する図であり、図１８はシステム図である。  
携帯情報端末装置３０は、図１８に示すように、結像レンズ３１と撮像素子である受光素子４５とを有し、結像レンズ３１により受光素子４５の受光面に結像される撮影対象物の像を受光素子４５により読み取るように構成されている。結像レンズ３１としては請求項１〜１２の何れかに記載のもの、好適には後述の実施例１〜８の何れかを用いることができる。  
受光素子４５の出力は中央演算装置４０の制御を受ける信号処理装置４２によって処理されてデジタル情報（画像情報）に変換される。信号処理装置４２によってデジタル化された画像情報は、中央演算装置４０の制御を受ける画像処理装置４１で所定の画像処理を受けた後、半導体メモリ４４に記憶される。  
液晶モニタ３８には撮影中の画像を表示することも、半導体メモリ４４に記憶されている画像を表示することもできる。半導体メモリ４４に記録した画像データは通信カード等を使用して外部へ送信することも可能である。
【００３２】
図１７（ａ）に示すように、結像レンズ３１は、カメラの携帯時には「沈胴状態」にあり、ユーザが電源スイッチ３５を操作して電源を入れると、図１７（ｂ）に示すように鏡胴が繰り出される。電源スイッチ３５は「シャッタボタン」を兼ねており、以下、シャッタボタン３５ともいう。  
図示を省略されているズームレバーを操作することにより、画像の切り出し範囲を変えて擬似的に変倍する所謂「デジタルズーム」の操作を行うこともできる。このとき、ファインダ３３も画角変化に連動して変倍する。  
シャッタボタン３５の半押しによりフォーカシングがなされる（前述の如く、結像レンズ全体を一体として光軸方向へ移動させて行う。）。このようにする代わりに、受光素子４５の移動によっても行うことができる。シャッタボタン３５をさらに押し込むと撮影がなされ、その後は上述の処理がなされる。
【００３３】
半導体メモリ４４に記憶した画像を液晶モニタ３８に表示したり、通信カード等を使用して外部へ送信したりするときは、操作ボタン３７の操作により行う。半導体メモリ４４および通信カード等は、それぞれ専用または汎用のスロット３９Ａ、３９Ｂに挿入して使用される。  
なお、結像レンズ３１が沈胴状態にあるとき、結像レンズの各レンズ群は必ずしも光軸上に並んでいなくても良い。例えば、前側レンズ群が光軸上から退避して、後側レンズ群と並列に収納されるような機構とすれば装置のさらなる薄型化を実現できる。  
このような携帯情報端末装置に、実施例１〜８の何れかの結像レンズを撮影用光学系よして使用することにより、２４００万画素以上の受光素子（撮像素子）を使用した高画質で小型の携帯情報端末装置を実現できる。
【００３４】
「実施例」  
以下に本発明の結像レンズの具体的な実施例を８例挙げる。全ての実施例において最大像高（Ｙ’）は１４．２ｍｍである。  
図１〜図８に順次、実施例１〜８の結像レンズの構成を断面図として示す。図１〜８において図の左方が物体側、右方が像側である。以下の説明の繁雑を避けるべく、これら図１〜８において符号を共通化する。
【００３５】
各実施例は結像レンズによる撮影対象物の像を撮像素子（エリアセンサ、上記の受光素子４５）により読み取る場合を想定しており、各図における符号Ｆは、撮像素子の光学ローパスフィルタ・赤外カットフィルタ等の各種フィルタや、撮像素子（ＣＣＤエリアセンサ、ＣＭＯＳセンサ等）のカバーガラス（シールガラス）を、これらに光学的に等価で透明な「平行平板」として示したものであり、符号Ｉｍは撮像素子の受光面を示す。  
読み取られるべき画像は、結像レンズにより受光面Ｉｍに結像される。  
以下の全実施例において平行平板Ｆは、その像側面が受光面Ｉｍから物体側に約０．７ｍｍ離れた位置となるよう配設してあるが、勿論これに限られるものではなく、複数枚に分割されていてもよい。
【００３６】
各図において、符号ＬＯにより前側レンズ群、符号ＬＩにより後側レンズ群を示し、符号Ｓにより開口絞りを示す。また、符号ＬＡＯにより物体側空気レンズ、符号ＬＡＩにより像側空気レンズ、符号ＬＡＭにより中間空気レンズを示す。  
レンズ群を構成する各レンズについては以下の規則により符号を付する。  
前側レンズ群ＬＯを構成するレンズにおいて、物体側から数えてｉ番目のレンズを符号Ｌ１ｉで示し、後側レンズ群ＬＩを構成するレンズにおいて、物体側（開口絞りＳ側）から数えてｊ番目のレンズを符号Ｌ２ｊで示す。
【００３７】
各実施例における記号の意味は以下の通りである。  
f：全系の焦点距離  
F：Fナンバ  
ω：半画角（度）  
R：曲率半径  
D：面間隔  
Nd：屈折率  
νd：アッベ数  
Pg,F：部分分散比［Pg,F =(ng-nF)/(nF - nC)］  
K：非球面の円錐定数  
A4：4次の非球面係数  
A6：6次の非球面係数  
A8：8次の非球面係数  
A10：10次の非球面係数  
A12：12次の非球面係数  
A14：14次の非球面係数                                        。
【００３８】
なお、非球面は、近軸曲率半径の逆数（近軸曲率）：C、光軸からの高さ：Hとするとき、これらと上記円錐定数および非球面係数を用いて周知の次式で表される。 
X={CH2/1+√(1-(1+K)C2H2)}+A4・H4+A6・H6+A8・H8+A10・H10+A12・H12+A14・H14
また、長さの次元を持つ量の単位は特に断らない限り「ｍｍ」である。   
「面番号」は物体側から数えた面（レンズ面及び開口絞り（以下において単に「絞りと表示する。」の面）の番号である。
【００３９】
「実施例１」
実施例１は、図１に断面図を示す結像レンズである。実施例１の結像レンズのデータを以下に示す。  
f = 17.10，F = 2.85，ω = 40.1  
面番号      R        D          Nd      νd      Pg,F        硝種名  
01      17.382    0.70    1.55332    71.68    0.5402    HOYA M-FCD500  
02*     10.950    2.46    
03     -20.448    0.60    1.63980    34.47    0.5922    OHARA S-TIM27  
04       7.591    2.64    1.88300    40.76    0.5667    OHARA S-LAH58  
05     -28.420    0.90    
06       絞り     1.11  
07      12.886    2.65    1.88300    40.76    0.5667    OHARA S-LAH58  
08      -8.328    0.50    1.68893    31.07    0.6004    OHARA S-TIM28  
09      13.306    1.53  
10     -15.194    0.50    1.74950    35.28    0.5869    OHARA S-LAM7  
11    -185.357    1.00    1.85400    40.38    0.5688    OHARA L-LAH85V
12*    -19.099   11.457    
13       ∞       1.40    1.51633    64.14    各種フィルタ  
14       ∞                                                             。
【００４０】
「非球面のデータ」
非球面には上のデータにおける面番号に「＊」印を付している。以下の実施例２〜８においても同様である。  
非球面のデータを以下に挙げる。  
第２面  
K = 0.0，A4 = 2.33316×10-4，A6 = 1.10838×10-5，A8 = -6.37281×10-7，
A10 = 4.94580×10-8 ,A12 = -1.63466×10-9，A14 = 2.59857×10-11 
第１２面  
K = 8.55425，A4 = 4.627224×10-4，A6 = 8.45387×10-6，A8 = 1.31568×10-8，
A10 = 2.78765×10-9                                                      。
【００４１】
「条件式におけるパラメータの値」
各条件式におけるパラメータの値を以下に挙げる。  
[1]  ( r1o + r2o ) / ( r1o - r2o ) = -0.303
[2]  ( r1i + r2i ) / ( r1i - r2i ) = -0.066
[3]  ( r1m + r2m ) / ( r1m - r2m ) = 0.376
[4]  fF / fR = 2.388
[5]  Y’ / f = 0.830
[6]  tan (θPmax ) = 0.841
[7]  L / f = 1.646
[8]  DT / f = 0.853
[9]  f1 / f = -3.254
[10]  fFF / fRR = 0.211                                  。
【００４２】
「実施例２」
実施例２は、図２に断面図を示す結像レンズである。実施例２の結像レンズのデータを以下に示す。  
f = 18.49，F = 2.86，ω = 37.9      
面番号      R        D        Nd        νd      Pg,F       硝種名
01      21.912    0.80    1.58313    59.46    0.5404    HOYA M-BACD12
02*     13.136    2.36   
03     -21.409    0.60    1.63980    34.47    0.5922    OHARA S-TIM27
04       8.362    2.87    1.88300    40.76    0.5667    OHARA S-LAH58
05     -24.803    1.10   
06        絞り    1.20   
07      13.834    2.69    1.88300    40.76    0.5667    OHARA S-LAH58
08      -8.699    0.50    1.68893    31.07    0.6004    OHARA S-TIM28
09      11.805    1.46   
10*    -19.158    1.00    1.85135    40.10    0.5694    HOYA M-TAFD305
11*    -19.589   12.755   
12       ∞       1.40    1.51633    64.14   各種フィルタ
13       ∞                                                            。
【００４３】
「非球面のデータ」
非球面のデータを以下に挙げる。  
第２面
K = 0.0，A4 = 2.68967×10-4，A6 = -4.58263×10-7，A8 = 4.00133×10-7，
A10 = -1.35475×10-8，A12 = 3.17395×10-10，A14 = -1.36710×10-12
非球面；第10面
K = 0.0，A4 = 8.14051×10-5，A6 = -5.35844×10-6
第１１面  
K = 8.84476，A4 = 4.57704×10-4，A6 = 2.52368×10-6，A8 = 6.66033×10-9，
A10 = 3.97299×10-9                                            。
【００４４】
「条件式におけるパラメータの値」
各条件式におけるパラメータの値を以下に挙げる。  
[1]  ( r1o + r2o ) / ( r1o - r2o ) = -0.239
[2]  ( r1i + r2i ) / ( r1i - r2i ) = -0.237
[3]  ( r1m + r2m ) / ( r1m - r2m ) = 0.284
[4]  fF / fR = 1.541
[5]  Y’ / f = 0.768
[6]  tan (θPmax ) = 0.773
[7]  L / f = 1.592
[8]  DT / f = 0.789
[9]  f1 / f = -3.148
[10]  fFF / fRR = -0.004                                              。
【００４５】
「実施例３」
実施例３は、図３に断面図を示す結像レンズである。実施例３の結像レンズのデータを以下に示す。  
f = 17.84，F = 2.87，ω = 38.8
面番号      R        D         Nd       νd      Pg,F        硝種名
01      24.961    0.80    1.51633    64.06    0.5333    OHARA L-BSL7 
02*     13.937    1.92    
03     -25.434    0.60    1.64769    33.79    0.5938    OHARA S-TIM22  
04       7.318    2.79    1.88300    40.76    0.5667    OHARA S-LAH58 
05     -27.723    0.90  
06       絞り     1.10   
07      15.266    2.62    1.88300    40.76    0.5667    OHARA S-LAH58 
08      -7.705    0.60    1.67270    32.10    0.5988    OHARA S-TIM25 
09      11.738    1.47  
10*    -24.824    1.10    1.85400    40.38    0.5688    OHARA L-LAH85V
11*    -26.317   11.597  
12       ∞       1.40    1.51633    64.14    各種フィルタ  
13       ∞                                                             。
【００４６】
「非球面のデータ」
非球面のデータを以下に挙げる。  
第２面  
K = 0.0，A4 = 3.72951×10-4，A6 = 3.24602×10-6，A8 = 5.33404×10-8，
A10 = 2.01818×10-8，A12 = -9.51799×10-10，A14 = 1.91260×10-11
第１０面  
K = 0.0，A4 = -3.28215×10-4，A6 = -1.83240×10-5
第１１面  
K = 19.98002，A4 = 9.73270×10-5，A6 = -3.03423×10-6，A8 = -1.89893×10-7，
A10 = 1.32511×10-8                                                        。
【００４７】
「条件式におけるパラメータの値」
各条件式におけるパラメータの値を以下に挙げる。  
[1]  ( r1o + r2o ) / ( r1o - r2o ) = -0.292
[2]  ( r1i + r2i ) / ( r1i - r2i ) = -0.358
[3]  ( r1m + r2m ) / ( r1m - r2m ) = 0.290
[4]  fF / fR = 1.223
[5]  Y’ / f = 0.796
[6]  tan (θPmax ) = 0.828
[7]  L / f = 1.547
[8]  DT / f = 0.779
[9]  f1 / f = -3.512
[10]  fFF / fRR = 0.081                                。
【００４８】
「実施例４」
実施例４は、図４に断面図を示す結像レンズである。実施例４の結像レンズのデータを以下に示す。  
f = 18.29，F = 2.87，ω = 38.2
面番号      R        D         Nd       νd      Pg,F        硝種名  
01      28.932    0.80    1.51633    64.06    0.5333    OHARA L-BSL7
02*     14.947    1.79   
03     -20.736    0.60    1.63980    34.47    0.5922    OHARA S-TIM27 
04       7.987    2.82    1.88300    40.76    0.5667    OHARA S-LAH58
05     -24.675    0.90  
06       絞り     1.10  
07      14.854    2.72    1.88300    40.76    0.5667    OHARA S-LAH58 
08      -8.223    0.60    1.68893    31.07    0.6004    OHARA S-TIM28 
09      12.851    1.55   
10     -13.712    1.10    1.88202    37.22    0.5769    HOYA M-TAFD307 
11*    -14.380   12.452   
12       ∞       1.40    1.51633    64.14    各種フィルタ  
13       ∞                                                             。
【００４９】
「非球面のデータ」
非球面のデータを以下に挙げる。  
第２面
K = 0.0，A4 = 2.67419×10-4，A6 = 1.46337×10-5，A8 = -1.15262×10-6，
A10 = 8.30471×10-8，A12 = -2.70440×10-9，A14 = 3.79775×10-11
第１１面
K = 1.42113，A4 = 2.87593×10-4，A6 = 4.81917×10-6，A8 = 4.83416×10-8，
A10 = 6.12592×10-10                                                  。
【００５０】
「条件式におけるパラメータの値」
各条件式におけるパラメータの値を以下に挙げる。  
[1]  ( r1o + r2o ) / ( r1o - r2o ) = -0.162
[2]  ( r1i + r2i ) / ( r1i - r2i ) = -0.032
[3]  ( r1m + r2m ) / ( r1m - r2m ) = 0.248
[4]  fF / fR = 1.462
[5]  Y’ / f = 0.776
[6]  tan (θPmax ) = 0.777
[7]  L / f = 1.560
[8]  DT / f = 0.764
[9]  f1 / f = -3.339
[10]  fFF / fRR = 0.042                              。
【００５１】
「実施例５」
実施例５は、図５に断面図を示す結像レンズである。実施例５の結像レンズのデータを以下に示す。  
f = 18.28，F = 2.87，ω = 38.2  
面番号      R      D          Nd       νd      Pg,F        硝種名
01     17.034    0.70    1.51633    64.06    0.5333    OHARA L-BSL7 
02*    10.894    2.46   
03    -18.486    0.60    1.63980    34.47    0.5922    OHARA S-TIM27 
04      8.332    2.75    1.88100    40.14    0.5701    HOYA TAFD33 
05    -25.206    1.10   
06      絞り     1.20   
07     13.099    2.76    1.88100    40.14    0.5701    HOYA TAFD33 
08     -8.666    0.50    1.69895    30.13    0.6030    OHARA S-TIM35  
09     12.744    1.52   
10*   -16.835    1.00    1.88202    37.22    0.5769    HOYA M-TAFD307
11*   -17.510   12.807   
12      ∞       1.40    1.51633    64.14    各種フィルタ 
13      ∞                                                             。
【００５２】
「非球面のデータ」
非球面のデータを以下に挙げる。  
第２面  
K = 0.0，A4 = 2.49546×10-4，A6 = 5.30767×10-6，A8 = -1.77772×10-7，
A10 = 2.52567×10-8，A12 = -9.46560×10-10，A14 = 1.70552×10-11
第１０面  
K = 0.0，A4 = 2.21965×10-4，A6 = -7.84181×10-7
第１１面  
K = 7.28422，A4 = 6.02712×10-4，A6 = 8.85505×10-6，A8 = -5.39399×10-8，
A10 = 4.60086×10-9                                                      。
【００５３】
「条件式におけるパラメータの値」
各条件式におけるパラメータの値を以下に挙げる。  
[1]  ( r1o + r2o ) / ( r1o - r2o ) = -0.258
[2]  ( r1i + r2i ) / ( r1i - r2i ) = -0.138
[3]  ( r1m + r2m ) / ( r1m - r2m ) = 0.316
[4]  fF / fR = 2.294
[5]  Y’ / f = 0.777
[6]  tan (θPmax ) = 0.769
[7]  L / f = 1.613
[8]  DT / f = 0.798
[9]  f1 / f = -3.331
[10]  fFF / fRR = 0.038                              。
【００５４】
「実施例６」
実施例６は、図６に断面図を示す結像レンズである。実施例６の結像レンズのデータを以下に示す。  
f = 18.45，F = 2.87，ω = 38.0
面番号      R        D          Nd       νd      Pg,F        硝種名  
01      20.798    0.70    1.58313    59.38    0.5423    OHARA L-BAL42
02*     12.110    2.46    
03     -16.845    0.60    1.61293    37.00    0.5862    OHARA S-TIM3 
04       8.688    2.98    1.83481    42.72    0.5648    OHARA S-LAH55V 
05     -20.339    1.10   
06      絞り      1.21   
07      11.799    2.94    1.83481    42.72    0.5648    OHARA S-LAH55V 
08      -8.814    0.50    1.67270    32.10    0.5988    OHARA S-TIM25  
09      11.699    1.60   
10*    -17.164    1.00    1.90270    31.00    0.5943    OJHARA L-LAH86
11*    -18.040   13.039   
12       ∞       1.40    1.51633    64.14    各種フィルタ  
13       ∞                                                             。
【００５５】
「非球面のデータ」
非球面のデータを以下に挙げる。  
第２面  
K = 0.0，A4 = 2.25513×10-4，A6 = 5.62684×10-6，A8 = -3.11498×10-7，
A10 = 2.96319×10-8，A12 = -9.92939×10-10，A14 = 1.49463×10-11
第１０面  
K = 0.0，A4 = 2.67595×10-4，A6 = -7.23834×10-8
第１１面  
K = 8.02127，A4 = 6.35106×10-4，A6 = 1.02195×10-5，A8 = -9.60305×10-8，
A10 = 6.19345×10-9                                                      。
【００５６】
「条件式におけるパラメータの値」
各条件式におけるパラメータの値を以下に挙げる。  
[1]  ( r1o + r2o ) / ( r1o - r2o ) = -0.164
[2]  ( r1i + r2i ) / ( r1i - r2i ) = -0.189
[3]  ( r1m + r2m ) / ( r1m - r2m ) = 0.266
[4]  fF / fR = 2.348
[5]  Y’ / f = 0.770
[6]  tan (θPmax ) = 0.755
[7]  L / f = 1.638
[8]  DT / f = 0.818
[9]  f1 / f = -2.777
[10]  fFF / fRR = 0.060                              。
【００５７】
「実施例７」
実施例７は、図７に断面図を示す結像レンズである。実施例７の結像レンズのデータを以下に示す。  
f = 15.70，F = 3.27，ω = 42.3  
面番号      R        D         Nd       νd      Pg,F        硝種名
01     19.742     0.70    1.58313    59.38    0.5423    OHARA L-BAL42
02*    11.850     2.46   
03    -12.492     0.60    1.59270    35.31    0.5933    OHARA S-FTM16 
04      9.512     2.46    1.83481    42.72    0.5648    OHARA S-LAH55V 
05    -16.061     1.10    
06       絞り     1.20    
07     10.604     2.97    1.83481    42.72    0.5648    OHARA S-LAH55V 
08     -7.496     0.50    1.67270    32.10    0.5988    OHARA S-TIM25 
09     12.030     1.43    
10*    -14.261    1.00    1.90270    31.00    0.5943    OHARA L-LAH86
11*    -17.022   10.301    
12       ∞       1.40    1.51633    64.14     各種フィルタ
13       ∞                                                            。
【００５８】
「非球面のデータ」
非球面のデータを以下に挙げる。  
第２面  
K = 0.0，A4 = 2.71502×10-4，A6 = 9.04308×10-6，A8 = -6.14012×10-7，
A10 = 5.78048×10-8，A12 = -2.15199×10-9，A14 = 3.93607×10-11
第１０面    
K = 0.0，A4 = 5.77816×10-4，A6 = -3.98329×10-6
第１１面  
K = 5.29089，A4 = 1.01998×10-3，A6 = 1.03128×10-5，A8 = -3.03249×10-8，
A10 = 1.61176×10-9                                                      。
【００５９】
「条件式におけるパラメータの値」
各条件式におけるパラメータの値を以下に挙げる。  
[1]  ( r1o + r2o ) / ( r1o - r2o ) = -0.026
[2]  ( r1i + r2i ) / ( r1i - r2i ) = -0.085
[3]  ( r1m + r2m ) / ( r1m - r2m ) = 0.205
[4]  fF / fR = 2.525
[5]  Y’ / f = 0.905
[6]  tan (θPmax ) = 0.925
[7]  L / f = 1.709
[8]  DT / f = 0.919
[9]  f1 / f = -3.348
[10]  fFF / fRR = 0.447                              。
【００６０】
「実施例８」
実施例８は、図８に断面図を示す結像レンズである。実施例８の結像レンズのデータを以下に示す。  
f = 18.22，F = 2.86，ω = 38.4  
面番号      R        D        Nd        νd      Pg,F        硝種名  
01      17.334    0.70    1.51633    64.06    0.5333    OHARA L-BSL7
02*     11.146    2.27   
03     -24.237    0.50    1.61293    37.00    0.5862    OHARA S-TIM3 
04       8.082    3.01    1.88300    40.76    0.5667    OHARA S-LAH58 
05     -16.270    0.50    1.64769    33.79    0.5938    OHARA S-TIM22 
06     -96.050    1.10  
07       絞り     1.20   
08      13.355    2.60    1.88300    40.76    0.5667    OHARA S-LAH58 
09      -9.609    0.50    1.69895    30.13    0.6030    OHARA S-TIM35 
10      13.696    1.50   
11*    -14.850    1.00    1.86100    37.10    0.5785    OHARA L-LAH94 
12*    -14.692   12.603   
13       ∞       1.40    1.51633    64.14     各種フィルタ
14       ∞                                                            。
【００６１】
「非球面のデータ」
非球面のデータを以下に挙げる。  
第２面  
K = 0.0，A4 = 2.18458×10-4，A6 = 5.08624×10-6，A8 = -2.14277×10-7，
A10 = 2.25859×10-8，A12 = -7.62695×10-10，A14 = 1.19420×10-11
第１１面  
K = 0.0，A4 = 2.19633×10-4，A6 = 6.49562×10-6
第１２面  
K = 4.40626，A4 = 5.86981×10-4，A6 = 1.34609×10-5，A8 = 1.74349×10-8，
A10 = 1.99268×10-9                                                      。
【００６２】
「条件式におけるパラメータの値」
各条件式におけるパラメータの値を以下に挙げる。  
条件式数値
[1]  ( r1o + r2o ) / ( r1o - r2o ) = -0.370
[2]  ( r1i + r2i ) / ( r1i - r2i ) = -0.040
[3]  ( r1m + r2m ) / ( r1m - r2m ) = 0.756
[4]  fF / fR = 2.611
[5]  Y’ / f = 0.779
[6]  tan (θPmax ) = 0.791
[7]  L / f = 1.624
[8]  DT / f = 0.817
[9]  f1 / f = -3.452
[10]  fFF / fRR = -0.154                        。
【００６３】
実施例１の結像レンズの収差曲線図を図９に示す。  
実施例２の結像レンズの収差曲線図を図１０に示す。  
実施例３の結像レンズの収差曲線図を図１１に示す。  
実施例４の結像レンズの収差曲線図を図１２に示す。  
実施例５の結像レンズの収差曲線図を図１３に示す。  
実施例６の結像レンズの収差曲線図を図１４に示す。  
実施例７の結像レンズの収差曲線図を図１５に示す。  
実施例８の結像レンズの収差曲線図を図１６に示す。  
これら実施例１〜８の収差曲線図において、球面収差の図中の破線は正弦条件を表し、  非点収差の図中の実線はサジタル、破線はメリディオナルを表す。
【００６４】
収差曲線図に示すように、各実施例の収差は高いレベルで補正され、球面収差、軸上色収差は非常に小さい。非点収差、像面湾曲、倍率色収差も十分に小さく、コマ収差やその色差の乱れも最周辺部まで良く抑えられている。また、歪曲収差も絶対値で２．０％以下となっている。  
即ち、この発明の結像レンズは、各実施例に示すように、半画角が３５〜４３度程度と広角で、Fナンバが２．８〜３．２程度と大口径でありながらレンズ全長・レンズ総厚・レンズ径の全てにおいて小型化が達成され、かつ、非常に良好な像性能を実現することができる。  
小型・高性能に実現できる結像レンズを用いることにより、携帯性に優れた高性能のカメラや携帯情報端末装置を実現できる。
【００６５】
以上、発明の好ましい実施の形態について説明したが、この発明は上述した特定の実施形態に限定されるものではなく、上述の説明で特に限定していない限り、特許請求の範囲に記載された発明の趣旨の範囲内において、種々の変形・変更が可能である。  
例えば、この発明の結像レンズを用いるカメラとして、上にはデジタルカメラを説明したが、これに限らず銀塩カメラとして実施できることは言うまでもない。また、この発明の結像レンズは、ビデオカメラの撮影レンズとしても用い得ることは勿論である。
【００６６】
この発明の実施の形態に記載された効果は、発明から生じる好適な効果を列挙したに過ぎず、発明による効果は「実施の形態に記載されたもの」に限定されるものではない。
【符号の説明】
【００６７】
ＬＯ        前側レンズ群  
ＬＩ        光束レンズ群  
Ｓ          開口絞り  
ＬＡＯ      物体側空気レンズ  
ＬＡＩ      像側空気レンズ  
ＬＺＭ      中間空気レンズ  
【先行技術文献】
【特許文献】
【００６８】
【特許文献１】特開平０８−３１３８０２号公報
【特許文献２】特開平０８−３１３８０２号公報
【特許文献３】特開平１１−３２６７５６号公報
【特許文献４】特開２００５−３５２０６０号公報
【特許文献５】特開２０１３−２５０５３４号公報
【特許文献６】特開２０１４−０５９４６６号公報
【特許文献７】特開昭５９−０６１８１４号公報
【特許文献８】特開昭６２−１３８８１４号公報
【特許文献９】特開２００９−２９４５２８号公報
【特許文献１０】特開平１０−０４８５１４号公報
【特許文献１１】米国特許公開公報２０１２／０１９４９２２
【図１】
2019095607.tif 000003
【図２】
2019095607.tif 000004
【図３】
2019095607.tif 000005
【図４】
2019095607.tif 000006
【図５】
2019095607.tif 000007
【図６】
2019095607.tif 000008
【図７】
2019095607.tif 000009
【図８】
2019095607.tif 000010
【図９】
2019095607.tif 000011
【図１０】
2019095607.tif 000012
【図１１】
2019095607.tif 000013
【図１２】
2019095607.tif 000014
【図１３】
2019095607.tif 000015
【図１４】
2019095607.tif 000016
【図１５】
2019095607.tif 000017
【図１６】
2019095607.tif 000018
【図１７】
2019095607.tif 000019
【図１８】
2019095607.tif 000020